(57)【特許請求の範囲】
【請求項１】
前蓋と後蓋とを連結部によって折り曲げ可能に連結して鍵盤蓋を構成し、この鍵盤蓋で楽器ケース内に設けられた鍵盤部を開閉自在に覆う鍵盤蓋の開閉装置において、
前記鍵盤部の前後方向に沿って前記楽器ケースに設けられた共通ガイド部と、
前記前蓋の前部を前記共通ガイド部に沿って前記鍵盤部の前後方向に移動可能に支持する前側支持部材と、
前記共通ガイド部に沿って移動する移動体と、この移動体を前記後蓋の下面に接離可能に連結する連結体と、前記移動体を前記後蓋の下面から離れる方向に付勢して前記移動体と前記後蓋の下面との間隔を相対的に変位させる変位部材とを備え、前記前蓋の後部に隣接する前記後蓋の前部を前記共通ガイド部に沿って前記鍵盤部の前後方向に移動可能に支持すると共に前記後蓋の移動に応じて上下方向に変位する中間支持部材と、
前記鍵盤蓋を開く際に前記後蓋の後部を前記鍵盤部の後部上方から後方に向けて斜め下側に移動させて前記後蓋を前記楽器ケース内に起立させる後側支持ガイド部材と
を備えていることを特徴とする鍵盤蓋の開閉装置。
【請求項２】
前記後側支持ガイド部材は、前記楽器ケース内に設けられた支持軸と、この支持軸に一端部が上下方向に回転自在に取り付けられたアーム部と、このアーム部の他端部と前記後蓋の後部とを上下方向に回転可能に連結する連結軸とを備え、前記支持軸を中心に前記アーム部が上下方向に回転し、このアーム部の回転に伴って前記連結軸が前記支持軸を中心とする円弧状の移動軌跡を描き、この円弧状の移動軌跡に沿って前記後蓋の後部をガイドすることを特徴とする請求項１に記載の鍵盤蓋の開閉装置。
【請求項３】
前記後側支持ガイド部材は、前記後蓋の後部を常に押し上げる方向に付勢する付勢部材を備えていることを特徴とする請求項２に記載の鍵盤蓋の開閉装置。
【請求項４】
前記変位部材は、前記前蓋と前記後蓋とが前記鍵盤部の上方を覆って閉じた際に前記移動体を前記後蓋の下面に弾力的に接近させて前記後蓋の前部を下側に変位させ、前記前蓋と前記後蓋とを開く際に前記移動体を前記後蓋の下面から弾力的に引き離して前記後蓋の前部を徐々に上側に変位させるばね部材であることを特徴とする請求項１に記載の鍵盤蓋の開閉装置。
【発明の詳細な説明】
【技術分野】
【０００１】
この発明は、電子ピアノなどの鍵盤楽器に用いられる鍵盤蓋の開閉装置に関する。
【背景技術】
【０００２】
従来、鍵盤楽器においては、特許文献１に記載されているように、楽器ケースのコンパクト化を図るために、鍵盤蓋を前蓋と後蓋とに分割し、この前蓋と後蓋とを連結部によって折り曲げ可能に連結することにより、鍵盤蓋を構成し、この鍵盤蓋で楽器ケース内に設けられた鍵盤部を開閉自在に覆うように構成したものが知られている。すなわち、この鍵盤楽器は、鍵盤蓋を開いて鍵盤部を露呈させる際に、前蓋と後蓋とが連結部で折れ曲がって楽器ケース内に収納され、また鍵盤蓋を閉じて鍵盤部を覆う際に、前蓋と後蓋とが平板状に連続して鍵盤部の上方に配置されるように構成されている。
【特許文献１】特開２００７−２４８９６８
【０００３】
このような鍵盤楽器における鍵盤蓋の開閉装置では、鍵盤蓋を開閉させる際に、前蓋と後蓋とが連結部で折れ曲がるため、前蓋の後部と後蓋の前部との移動軌跡が異なり、これに伴って前蓋の前部をガイドする前側ガイド溝部と後蓋の前部をガイドする後側ガイド溝部との２つのガイド溝部が必要であるほか、鍵盤蓋を楽器ケース内に収納する際、前蓋を鍵盤部の前側から後側に向けて移動させると、後蓋が連結部で折れ曲がりながら鍵盤部の後方に向けて後部下がりに移動し、前蓋が楽器ケース内に収納された際に、後蓋を鍵盤部の後方における楽器ケース内に起立させて収納させるために、後蓋の後部を支持しながらガイドする後蓋支持ガイド部材が必要である。
【０００４】
この後蓋支持ガイド部材は、後蓋を鍵盤部の上方から鍵盤部の後方に向けて斜め下方にガイドする湾曲したラックと、後蓋の後部に回転可能に設けてラックに噛み合って転動するピニオン歯車と、このピニオン歯車の回転軸をラックに沿ってガイドするガイドレールとを備え、鍵盤蓋を開いて楽器ケース内に収納する際に、ピニオン歯車がラックに噛み合って回転しながらピニオン歯車の回転軸がガイドレールでガイドされることにより、ピニオン歯車がラックに沿って上方から後部下側に向けて斜めに移動することにより、後蓋を楽器ケース内に起立させるように構成されている。
【発明の開示】
【発明が解決しようとする課題】
【０００５】
このような従来の鍵盤蓋の開閉装置では、後蓋の後部を支持しながらガイドする後蓋支持ガイド部材によって、後蓋を鍵盤部の後方に位置する楽器ケース内に起立させて収納させる際、後蓋の前後方向の長さが長いと、後蓋の下面が鍵盤部の後端上部に接触しやすくなり、円滑に後蓋を鍵盤部の後方に向けて斜め下側にガイドすることができなくなるばかりか、鍵盤部の後方に位置する楽器ケース内における後蓋の収納スペースを十分に広く確保しなければならないため、できる限り後蓋の前後方向の長さを短くする必要がある。
【０００６】
このため、この従来の鍵盤蓋の開閉装置では、前蓋と後蓋とが連結部で折れ曲がることにより、前蓋の前部をガイドする前側ガイド溝部のほかに、後蓋の前部をガイドする後側ガイド溝部と、後蓋の後部をガイドする後蓋支持ガイド部材のガイドレールとが必要であるが、後蓋をガイドする後側ガイド溝部を長く形成すると、後側ガイド溝部が楽器ケースの外部から見えてしまい、外観上、好ましくない。このため、後側ガイド溝部を短く形成する必要が生じるが、後側ガイド溝部を短くして前側ガイド溝部を長く形成すると、前蓋が後蓋よりも長くなり、これに伴って楽器ケースの奥行きが長くなるため、楽器全体が大型化するという問題もある。
【０００７】
この発明が解決しようとする課題は、１本の共通ガイド部と後側支持ガイド部材とで前蓋と後蓋との開閉動作を安定させることができ、且つ前蓋を後蓋よりも短くして楽器全体の小型化を図ることができる鍵盤蓋の開閉装置を提供することである。
【課題を解決するための手段】
【０００８】
この発明は、上記課題を解決するために、次のような構成要素を備えている。
請求項１に記載の発明は、前蓋と後蓋とを連結部によって折り曲げ可能に連結して鍵盤蓋を構成し、この鍵盤蓋で楽器ケース内に設けられた鍵盤部を開閉自在に覆う鍵盤蓋の開閉装置において、前記鍵盤部の前後方向に沿って前記楽器ケースに設けられた共通ガイド部と、前記前蓋の前部を前記共通ガイド部に沿って前記鍵盤部の前後方向に移動可能に支持する前側支持部材と、前記共通ガイド部に沿って移動する移動体と、この移動体を前記後蓋の下面に接離可能に連結する連結体と、前記移動体を前記後蓋の下面から離れる方向に付勢して前記移動体と前記後蓋の下面との間隔を相対的に変位させる変位部材とを備え、前記前蓋の後部に隣接する前記後蓋の前部を前記共通ガイド部に沿って前記鍵盤部の前後方向に移動可能に支持すると共に前記後蓋の移動に応じて上下方向に変位する中間支持部材と、前記鍵盤蓋を開く際に前記後蓋の後部を前記鍵盤部の後部上方から後方に向けて斜め下側に移動させて前記後蓋を前記楽器ケース内に起立させる後側支持ガイド部材とを備えていることを特徴とする鍵盤蓋の開閉装置である。
【０００９】
請求項２に記載の発明は、前記後側支持ガイド部材が、前記楽器ケース内に設けられた支持軸と、この支持軸に一端部が上下方向に回転自在に取り付けられたアーム部と、このアーム部の他端部と前記後蓋の後部とを上下方向に回転可能に連結する連結軸とを備え、前記支持軸を中心に前記アーム部が上下方向に回転し、このアーム部の回転に伴って前記連結軸が前記支持軸を中心とする円弧状の移動軌跡を描き、この円弧状の移動軌跡に沿って前記後蓋の後部をガイドすることを特徴とする請求項１に記載の鍵盤蓋の開閉装置である。
【００１０】
請求項３に記載の発明は、前記後側支持ガイド部材が、前記後蓋の後部を常に押し上げる方向に付勢する付勢部材を備えていることを特徴とする請求項２に記載の鍵盤蓋の開閉装置である。
【００１２】
請求項４に記載の発明は、前記変位部材は、前記前蓋と前記後蓋とが前記鍵盤部の上方を覆って閉じた際に前記移動体を前記後蓋の下面に弾力的に接近させて前記後蓋の前部を下側に変位させ、前記前蓋と前記後蓋とを開く際に前記移動体を前記後蓋の下面から弾力的に引き離して前記後蓋の前部を徐々に上側に変位させるばね部材であることを特徴とする請求項１に記載の鍵盤蓋の開閉装置である。
【発明の効果】
【００１３】
この発明によれば、鍵盤蓋を楽器ケースの後方に向けて移動させて開く際、前側支持部材と中間支持部材が共通ガイド部でガイドされて前蓋と後蓋とが連結部で折れ曲がりながら後方に移動すると共に、この後蓋の移動に応じて中間支持部材が後蓋の前部を上下方向に変位させながら移動することにより、１本の共通ガイド部によって前蓋と後蓋の前部とを安定させた状態で移動させることができる。また、このときには、後側支持ガイド部材によって後蓋の後部を鍵盤部の後部上方から後方に向けて斜め下側に安定した状態で移動させて後蓋を楽器ケース内に良好に起立させることができる。
【００１４】
このため、鍵盤蓋を開閉する際、前側支持部材、中間支持部材、および後側支持ガイド部材の全てを連動させて、１本の共通ガイド部と後側支持ガイド部材とで前蓋と後蓋とをガイドすることができるので、鍵盤蓋の開閉動作を安定させることができると共に、前蓋の前部と後蓋の前部とを１本の共通ガイド部でガイドすることにより、外観を損なわずに、前蓋を後蓋よりも短く形成することができ、これにより楽器ケースの奥行きを短くすることができるので、楽器全体の小型化を図ることができる。
【発明を実施するための最良の形態】
【００１５】
以下、図１〜図１０を参照して、この発明を鍵盤楽器に適用した一実施形態について説明する。
この鍵盤楽器は、図１〜図３に示すように、楽器ケース１内における前側（図１では左側）に鍵盤部２が配置されていると共に、この楽器ケース１内に鍵盤部２の上方を開閉自在に覆う鍵盤蓋３が設けられた構成になっている。
【００１６】
この場合、楽器ケース１は、図１および図３に示すように、底板４を備えている。この底板４の前端部（図１では左端部）には前板５が立設されており、この底板４の後端部（図１では右端部）には後板６が立設されている。また、底板４の両側部（図１では紙面の表裏面側）には側板７がそれぞれ立設されており、これら側板７および後板６の上部には天板８が設けられている。これにより、楽器ケース１は、前板５と天板８との間が上方に開放された構成になっている。
【００１７】
鍵盤部２は、図１および図２に示すように、白鍵および黒鍵などの複数の鍵１０と、この複数の鍵１０が配列される鍵盤シャーシ１１とを備えている。この場合、複数の鍵１０は、鍵盤シャーシ１１上に上下方向に回動自在に設けられ、押鍵操作によって回動するように構成されている。鍵盤シャーシ１１は、楽器ケース１の底板４の上面における前部側（図１では左側）に配置されている。これにより、鍵盤部２は、複数の鍵１０が鍵盤シャーシ１１上に配置された状態で、前板５と天板８との間に位置して複数の鍵１０の上部側が外部に露呈するように構成されている。
【００１８】
また、鍵盤蓋３は、図１および図３に示すように、前蓋１２と後蓋１３とに分割され、この分割された前蓋１２と後蓋１３とが連結部である蝶番１４によって山形状に折れ曲がり可能に連結され、この状態で楽器ケース１内における鍵盤部２の上部側に前後方向（図１は左右方向）に沿って移動可能に設けられ、鍵盤部２を開閉自在に覆うように構成されている。この場合、前蓋１２は、その前後方向の長さが後蓋１３よりも短く、例えば後蓋３の前後方向における長さのほぼ半分程度の長さに形成されている。これに伴って、天板８は、その前後方向の長さが前蓋１２よりも少し長く且つ後蓋１３よりも十分に短く形成されている。
【００１９】
この鍵盤蓋３の開閉装置は、図１〜図３に示すように、鍵盤部２の前後方向に沿って楽器ケース１に設けられた共通ガイド部１５と、前蓋１２の前部（図１では左側部）を共通ガイド部１５に沿って鍵盤部２の前後方向に移動可能に支持する前側支持部材１６と、前蓋１２の後部に隣接する後蓋１３の前部（図１では左側部）を共通ガイド部１５に沿って鍵盤部２の前後方向に移動可能に支持すると共に後蓋１３の移動に応じて上下方向に変位する中間支持部材１７と、鍵盤蓋３を開く際に後蓋１３の後部（図１では右側部）を鍵盤部２の後部上方から後方に向けて斜め下側に移動させて後蓋１３を楽器ケース１内に起立させる後側支持ガイド部材１８とを備えている。
【００２０】
この場合、共通ガイド部１５は、図１および図３に示すように、楽器ケース１の両側に位置する各側板７の内面に、その前部（図１では左側）から後部（図１では右側）に亘って連続して設けられた１本の溝部である。すなわち、この共通ガイド部１５は、前端部が鍵盤部２の前端部に沿ってほぼ垂直に形成され、この前端部の上部に連続する前部側が鍵盤部２の上部に沿って緩やかに後方に向けて上昇する前側傾斜部に形成され、この前側傾斜部に連続する中間部が鍵盤部２の中間部から後部側に亘ってほぼ水平に形成され、この中間部に連続する後部側が後板６に向けて緩やかに降下する後側傾斜部に形成された構成になっている。
【００２１】
前側支持部材１６は、図１および図３に示すように、前蓋１２の前端部に取り付けられて前蓋１２を移動させるための取手部２０と、この取手部２０に設けられて前側に向けて斜め下に延びる足部２１と、この足部２１の下端部に取り付けられて共通ガイド部１５に沿って移動する前側軸部２２とを備えている。これにより、前側支持部材１６は、図３に示すように、鍵盤蓋３を閉じた際に、前側軸部２２が共通ガイド部１５の前端部の下部に位置し、図１に示すように、鍵盤蓋３を開いた際に、前側軸部２２が共通ガイド部１５の前端部の下部から前側傾斜部を経て水平な中間部の後部に移動することにより、天板８の下側に前蓋１２をガイドして支持するように構成されている。
【００２２】
後側支持ガイド部材１８は、図１および図３に示すように、楽器ケース１の底板４上に設けられた支持板２３と、この支持板２３にそれぞれ設けられた支持軸２４と、この支持軸２４にそれぞれ一端部が上下方向に回転自在に取り付けられたアーム部２５と、このアーム部２５における他端部と後蓋１３の後部両側とを回転自在に取り付ける連結軸２６とを備えている。この場合、支持板２３は、図３および図４に示すように、楽器ケース１内に設けられた鍵盤部２の鍵１０の後部よりも下側に位置した状態で、両側の各側板７に接近する底板４上の両側に設けられ、その上部に支持軸２４がそれぞれ取り付けられている。
【００２３】
アーム部２５は、図３に示すように、鍵盤部２の鍵１０の後端部に接触しないように鍵１０の後端部を避けるために、ほぼコ字形状に形成されている。このアーム部２５は、図３および図４に示すように、その下部側の先端部が鍵１０の後部よりも下側に位置する支持軸２４にそれぞれ上下方向に回転自在に取り付けられている。すなわち、このアーム部２５は、図３に示すように、支持軸２４を中心に回動して起立したときに、上部側の先端部が鍵１０の後端部の上側に位置し、図１に示すように、支持軸２４を中心に回動して鍵盤部２の後方に横倒したときに、アーム部２５の中間部が楽器ケース１の底板４上に設けられたクッション材４ａに当接するように構成されている。
【００２４】
これにより、後側支持ガイド部材１８は、図１、図３および図４に示すように、支持軸２４を中心にアーム部２５が上下方向に回転すると、このアーム部２５の回転に伴ってアーム部２５の他端部に取り付けられた連結軸２６が支持軸２４を中心とする円弧状の移動軌跡を描きながら上下方向に移動すると共に、この連結軸２６の移動に伴って後蓋１３の後部が連結軸２６を中心に相対的に回転しながら連結軸２６の移動軌跡に沿って上下方向に移動することにより、後蓋１３の後部を支持しながら上下方向にガイドするように構成されている。
【００２５】
この場合、支持軸２４には、図１、図３および図４に示すように、後蓋１３の後部を常に押し上げる方向に付勢する付勢部材であるばね部材２７が取り付けられている。このばね部材２７は、支持軸２４に巻き付けられた状態で、一端部が支持板２３に取り付けられ、他端部がアーム部２５に取り付けられていることにより、後蓋１３の後部を常に押し上げる方向に付勢するように構成されている。すなわち、このばね部材２７は、図１および図３に示すように、後蓋１３の後部が上側から斜め下側に向けて移動する際、後蓋１３がその重量によって急激に降下するのを防ぎ、また後蓋１３の後部が下側から斜め上方に向けて移動する際、後蓋１３を引き上げるための力を軽くするように構成されている。
【００２６】
一方、中間支持部材１７は、図１および図３に示すように、共通ガイド部１５に沿って移動する移動体である後側軸部２８と、この後側軸部２８を後蓋１３の前部下面に連結する連結体である連結部材２９とを備えている。これにより、中間支持部材１７は、図３に示すように、鍵盤蓋３を閉じた際に、後側軸部２８が共通ガイド部１５の水平な中間部の前部に位置し、図１に示すように、鍵盤蓋３を開いた際に、後側軸部２８が共通ガイド部１５の水平な中間部を経て共通ガイド部１５の後側傾斜部の後端部に移動するように構成されている。
【００２７】
この場合、連結部材２９は、図５〜図８に示すように、後蓋１３の前部における下面に取り付けられた取付板３０と、後側軸部２８が回転自在に取り付けられた回動足部３１と、この回動足部３１を取付板３０に回転自在に連結するヒンジ部３２と、回動足部３１を後蓋１３の下面に対して垂直な位置に規制するストッパ部３３とを備えている。これにより、連結部材２９は、図８（ａ）および図８（ｂ）に示すように、ヒンジ部３２を中心に回動足部３１が上下方向に回転して取付板３０に対して接離することにより、後蓋１３の前部が共通ガイド部１５に対して上下方向に移動するように構成されている。
【００２８】
また、この連結部材２９は、図３に示すように、前蓋１２と後蓋１３とが鍵盤部２の上方を覆って閉じた際、図８（ｂ）に示すように、後側軸部２８を後蓋１３の下面に弾力的に接近させて後蓋１３の前部を下側に変位させ、図９および図１０に示すように、前蓋１２と後蓋１３とが後方に向けて移動する際、図８（ａ）に示すように、後側軸部２８を後蓋１３の下面から弾力的に離して後蓋１３の前部を徐々に上側に変位させる変位部材３４を備えている。すなわち、この変位部材３４は、ばね部材であり、図５〜図８に示すように、ヒンジ部３２の軸３２ａに巻き付けられ、一端部が取付板３０に係止され、他端部が回動足部３１に係止され、これにより共通ガイド部１５にガイドされる後側軸部２８を後蓋１３の下面に対して上下方向に弾力的に変位させるように構成されている。
【００２９】
次に、この鍵盤蓋３の開閉動作について説明する。
まず、図３に示すように、鍵盤蓋３を閉じて鍵盤部２を覆った際には、前蓋１２と後蓋１３とが少し前下がりにほぼ平板状に連続して、前蓋１２が鍵盤部２の前側を覆い、後蓋１３が鍵盤部２の後側を覆う。このときには、前蓋１２の前部に設けられた前側支持部材１６の前側軸部２２が共通ガイド部１５の前端部に位置し、後蓋１３の前部に設けられた中間支持部材１７の後側軸部２８が共通ガイド１５の水平な中間部の前部側に位置し、後側支持ガイド部材１８のアーム部２５が支持軸２４を中心に回動して起立し、このアーム部２５の他端部に連結軸２６によって連結された後蓋１３の後部が鍵盤部２の後部上方に位置する。
【００３０】
この場合、中間支持部材１７の連結部材２９には、鍵盤蓋３が少し前下がりにほぼ平板状に連続していることにより、後蓋１３の重量が加わるため、この後蓋１３の重量によって変位部材３４が弾性変形し、図８（ｂ）に示すように、連結部材２９の回動足部３１が変位部材３４の弾性力に抗してヒンジ部３２を中心に反時計回りに回動して、図３に示すように、後側軸部２８が後蓋１３の下面に弾力的に接近する。これにより、後蓋１３が下側に変位して共通ガイド部１５に接近し、前蓋１２と後蓋１３とがほぼ平板状に連続した状態で、少し前下がりに傾斜して配置される。
【００３１】
この状態で、鍵盤蓋３を後方に移動させて開く際には、まず、図９に示すように、前蓋１２の取手部２０を持ち上げ前蓋１２の前部を引き上げる。このときには、後側支持ガイド部材１８のアーム部２５が支持軸２４を中心に回動せず、アーム部２５と後蓋１３の後部とを連結する連結軸２６を中心に回動し、この連結軸２６を支点として、前蓋１２と後蓋１３とが平板状に連続した状態でほぼ水平な状態に引き上げられる。
【００３２】
このため、後蓋１３の前部が共通ガイド部１５に対して上方に移動し、これに伴って連結部材２９の回動足部３１が図８（ａ）に示すように変位部材３４の弾性力によってヒンジ部３２を中心に時計回りに回動する。これにより、図９に示すように、後蓋１３の下面が後側軸部２８から弾力的に上側に離れ、連結部材２９の回動足部３１が後蓋１３の下側に起立してストッパ部３３に当接して位置規制される。
【００３３】
この後、鍵盤蓋３が後方に向けて移動すると、図１０に示すように、前蓋１２の前部に設けられた前側支持部材１６の前側軸部２２が共通ガイド部１５に沿って後方に移動すると共に、後蓋１３の前部に設けられた中間支持部材１７の後側軸部２８が共通ガイド部１５に沿って後方に移動する。このとき、後蓋１３の後部は後側支持ガイド部材１８によってガイドされて、鍵盤部２の後部上方から鍵盤部２の後方に向けて斜め下方に移動する。これにより、後蓋１３が蝶番１４を中心に前蓋１２に対して後部下がりに徐々に折れ曲がる。
【００３４】
すなわち、後側支持ガイド部材１８は、図１０に示すように、後蓋１３の後方への移動に伴ってアーム部１５が支持軸２４を中心に時計回りに回動し、このアーム部２５の回転動作に伴ってアーム部２５と後蓋１３の後部とを連結する連結軸２６が支持軸２４を中心とする円弧状の移動軌跡を描きながら上方から下方に向けて斜めに移動し、この連結軸２６の移動に伴って後蓋１３の後部が鍵盤部２の後部上方から鍵盤部２の後方に向けて斜め下方に連結軸２６の移動軌跡に沿って移動する。
【００３５】
このときには、後蓋１３の重量がアーム部２５に加わるが、支持軸２４に設けられたばね部材２７のばね力によって後蓋１３の後部が常に押し上げられているので、後蓋１３の後部をゆっくり降下させる。また、このときには、中間支持部材１７の後側軸部２８に後蓋１３の重量による大きな負荷が加わらないため、中間支持部材１７における連結部材２９の回動足部３１が後蓋１３の下側に起立して後側軸部２８が後蓋１３の下面から離れた状態で、共通ガイド部１５に沿って移動することにより、前蓋１２の後部が下がらないように、前蓋１２の後部を支持している。
【００３６】
そして、鍵盤蓋３が完全に開いたときには、図１に示すように、後蓋１３が鍵盤部２の後方に位置する楽器ケース１内にほぼ垂直に起立し、前蓋１２が天板８の下側にほぼ水平に配置される。すなわち、後側支持ガイド部材１８のアーム部２５が支持軸２４を中心に時計回りに回転し、アーム部２５の中間部が楽器ケース１の底板４上のクッション材４ａに当接して、アーム部２５の他端部と後蓋１３の後部とを連結する連結軸２６が楽器ケース１内の後側下部に移動する。これにより、後蓋１３が楽器ケース１の後板６とほぼ平行な垂直状態で起立する。
【００３７】
このため、後蓋１３の前部に蝶番１４によって連結された前蓋１２の後部は、図１に示すように、起立した後蓋１３の前部（図１では上部）によって支持されることにより、前蓋１２が蝶番１４を中心に後蓋１３に対してほぼ直角に折れ曲がった状態になる。また、この前蓋１２の前部は前側支持部材１６の前側軸部２２が共通ガイド部１５の水平な中間部の後部に位置した状態で前側支持部材１６によって支持されている。これにより、前蓋１２は楽器ケース１内における天板８の下側にほぼ水平な状態で支持される。
【００３８】
また、後蓋１３が楽器ケース１内に起立するときには、図１に示すように、中間支持部材１７の後側軸部２８が共通ガイド部１５の後端部に移動する。このときに、前蓋１２の後部が共通ガイド部１５から徐々に上側に離れるので、中間支持部材１７の後側軸部２８を蝶番１４から離すために、中間支持部材１７における連結部材２９の回動足部３１がヒンジ部３２を中心に変位部材３４のばね力に抗して後蓋１３に接近する方向に回動する。これにより、後蓋１３が楽器ケース１内にほぼ垂直状態で起立すると共に、前蓋１２は楽器ケース１内における天板８の下側にほぼ水平に支持され、鍵盤部２を上側外部に露呈させる。
【００３９】
一方、鍵盤蓋３が楽器ケース１内に収納されて開いた状態で、鍵盤蓋３を前側に移動させて閉じる場合には、図１に示す状態で、前蓋１２の取手部２０を手前側（図１では左側）に引出す。このときには、前蓋１２の前部に設けられた前側支持部材１６の前側軸部２２と、後蓋１３の前部に設けられた中間支持部材１７の後側軸部２８とが、共通ガイド部１５にガイドされて、前蓋１２と後蓋１３とが蝶番１４で徐々に広がる方向に折れ曲がりながら前側に移動する。
【００４０】
また、このときには後蓋１３の移動に伴って後蓋１３の後部が引き上げられるので、アーム部２５が支持軸２４を中心に反時計回りに回動し、後蓋１３の後部が上方に移動する。このとき、後側支持ガイド部材１８の支持軸２４に取り付けられたばね部材２７のばね力によってアーム部２５が支持軸２４を中心に反時計回りに付勢されているため、後蓋１３が鍵盤部２の後方にほぼ垂直に起立して、アーム部２５と後蓋１３の後部を連結する連結部２６に後蓋１３の全重量が加わっていても、軽い力で後蓋１３を引き上げることができる。これにより、鍵盤蓋３を容易に前側に移動させて閉じることができる。
【００４１】
このように、この鍵盤楽器における鍵盤蓋３の開閉装置によれば、鍵盤部２の前後方向に沿って楽器ケース１に設けられた共通ガイド部１５と、前蓋１２の前部を共通ガイド部１５に沿って鍵盤部２の前後方向に移動可能に支持する前側支持部材１６と、前蓋１２の後部に隣接する後蓋１３の前部を共通ガイド部１５に沿って鍵盤部２の前後方向に移動可能に支持すると共に後蓋１３の移動に応じて上下方向に変位する中間支持部材１７と、鍵盤蓋３を開く際に後蓋１３の後部を鍵盤部２の後部上方から後方に向けて斜め下側に移動させて後蓋１３を楽器ケース１内に起立させる後側支持ガイド部材１８とを備えているので、鍵盤蓋３の開閉動作を安定させることができると共に、前蓋１２を後蓋１３よりも短く形成して楽器全体の小型化を図ることができる。
【００４２】
すなわち、この鍵盤蓋３の開閉装置によれば、鍵盤蓋３を楽器ケース１の後方に向けて移動させて開く際、前側支持部材１６の前側軸部２２と中間支持部材１７の後側軸部２８とが共通ガイド部１５でガイドされて前蓋１２と後蓋１３とが蝶番１４で折れ曲がりながら後方に移動すると共に、後蓋１３の移動に応じて中間支持部材１７が後蓋１３の前部を上下方向に変位させながら移動することにより、前蓋１２と後蓋１３の前部とを安定させた状態で移動させることができる。また、このときには、後側支持ガイド部材１８によって後蓋１３の後部を鍵盤部２の後部上方から後方に向けて斜め下側に安定した状態で移動させて後蓋１３を楽器ケース１内に良好に起立させることができる。
【００４３】
このため、鍵盤蓋３を開閉する際、前側支持部材１６、中間支持部材１７、および後側支持ガイド部材１８の全てを連動させて、１本の共通ガイド部１５と後側支持ガイド部材１８とで前蓋１２と後蓋１３とをガイドすることができるので、鍵盤蓋３の開閉動作を安定させることができると共に、前蓋１２の前部と後蓋１３の前部とが１本の共通ガイド部１５でガイドされていることにより、外観を損なわずに、前蓋１２を後蓋１３よりも短く形成することができ、これにより楽器ケース１の奥行きを短くすることができるので、楽器全体の小型化を図ることができる。
【００４４】
この場合、後側支持ガイド部材１８は、楽器ケース１内の支持板２３に設けられた支持軸２４と、この支持軸２４に一端部が上下方向に回転自在に取り付けられたアーム部２５と、このアーム部２５の他端部と後蓋１３の後部とを上下方向に回転可能に連結する連結軸２６とを備え、支持軸２４を中心にアーム部２５が上下方向に回転し、このアーム部２５の回転に伴って連結軸２６が支持軸２４を中心とする円弧状の移動軌跡を描き、この連結軸２６の移動軌跡に沿って後蓋１３の後部をガイドすることにより、後蓋１３を安定した状態で鍵盤部２の後部上方から後方に向けて斜め下側に移動させることができ、これにより後蓋１３を良好に楽器ケース１内に起立させることができる。
【００４５】
すなわち、この後側支持ガイド部材１８は、支持板２３の支持軸２４を中心に上下方向に回転するアーム部２５の回転に伴って連結軸２６が支持軸２４を中心とする円弧状の移動軌跡を描き、この連結軸２６の移動軌跡に沿って後蓋１３の後部をガイドするリンク機構であるから、後蓋１３の後部を均一の移動軌跡に沿って移動させることができ、これにより開閉動作の不安定要因を解消することができると共に、従来例のようなラックやピニオン歯車などを用いた場合に比べて、構造が簡単で、低価格なものを提供することができる。
【００４６】
また、この後側支持ガイド部材１８は、後蓋１３の後部を常に押し上げる方向に付勢する付勢部材であるばね部材２７を備えているので、このばね部材２７のばね力によって後蓋１３の開閉動作を常に連続して安定させることができ、これにより前蓋１２と後蓋１３とをスムーズに移動させることができるので、鍵盤蓋３を安全に且つ良好に開閉させることができる。
【００４７】
すなわち、鍵盤蓋３を後方に移動させて開く際、後蓋１３が鍵盤部２の後部上方から後方に向けて斜め下側に移動して起立するときに、ばね部材２７のばね力が後蓋１３の後部に加わることにより、後蓋１３がその重量で急激に降下するのを防ぐことができる。また、鍵盤蓋３を前方に移動させて閉じる際、起立した状態の後蓋１３を引き上げるときに、後蓋１３の重量がアーム部２５に加わっていても、ばね部材２７のばね力が後蓋１３の後部を押し上げるように加わることにより、軽い力で後蓋１３を引き上げることができる。
【００４８】
また、中間支持部材１７は、共通ガイド部１５に沿って移動する移動体である後側軸部２８と、この後側軸部２８を後蓋１３の下面に接離可能に連結する連結体である連結部材２９と、後側軸部２８を後蓋１３の下面から離れる方向に付勢して後側軸部２８と後蓋１３の下面との間隔を相対的に変位させる変位部材３４とを備えているので、前蓋１２と後蓋１３とが蝶番１４で折れ曲がり可能に連結されていても、前蓋１２に設けられた前側支持部材１６の前側軸部２２と後蓋１３に設けられた中間支持部材１７の後側軸部２８とを１本の共通ガイド部１５で良好にガイドすることができる。
【００４９】
すなわち、鍵盤蓋３を開く際、前蓋１２と後蓋１３とがほぼ平板状に連続して少し前下がりに傾斜した状態からほぼ水平な状態に引き上げるときに、変位部材３４によって後側軸部２８を後蓋１３の下面から離れる方向に変位させるので、前蓋１２の後部と後蓋１３の前部とを蝶番１４で折り曲げることなく共通ガイド部１５の上側に移動させることができ、これにより前蓋１２の前側軸部２２と後蓋１３の後側軸部２８とを１本の共通ガイド部１５によって良好にガイドすることができ、前蓋１２と後蓋１３とを安定して移動させることができる。
【００５０】
このため、前蓋１２の前後方向の長さを後蓋１３の前後方向の長さよりも短くしても、前蓋１２の前側軸部２２と後蓋１３の後側軸部２８とを１本の共通ガイド部１５によって良好にガイドすることができると共に、後側支持ガイド部材１８によって後蓋１３を小回りで回転移動させることができるので、前蓋１２を楽器ケース１内にほぼ水平な状態で収納しても、鍵盤部２の後方に位置する楽器ケース１内における前後方向の収納スペースを前蓋１２の前後方向の長さとほぼ同じ程度に十分に小さくすることができ、これにより楽器ケース１の奥行きを短くすることができ、楽器全体の小型化を図ることができる。
【００５１】
また、中間支持部材１７の変位部材３４は、前蓋１２と後蓋１３とが鍵盤部２の上方を覆って閉じた際に移動体である後側軸部２８を後蓋１３の下面に弾力的に接近させて後蓋１３の前部を下側に変位させ、前蓋１２と後蓋１３とを開く際に後側軸部２８を後蓋１３の下面から弾力的に引き離して後蓋１３の前部を徐々に上側に変位させるばね部材であるので、鍵盤蓋３を閉じたときに、前蓋１２と後蓋１３とをほぼ平板状に連続させて少し前下がりに傾斜させることができ、これにより鍵盤部２を良好に覆うことができ、また鍵盤蓋３を開くときに、前蓋１２と後蓋１３との移動軌跡が異なっていても、前側軸部２２と後側軸部２８とを共通ガイド部１５によって良好にガイドしながら、中間支持部材１７によって後蓋１３の前部を支持して前蓋１２の後部を良好に支持することができる。
【００５２】
なお、上記実施形態では、後蓋１３の後部を後側支持ガイド部材１８のみで支持しながらガイドするように構成した場合について述べたが、これに限らず、例えば図１１に示す第１変形例のように構成しても良い。すなわち、この第１変形例は、後側支持ガイド部材１８のアーム部２５の中間部にピニオン歯車４０を回転自在に取り付け、鍵盤部２の後側上部から鍵盤部２の後側下部に亘って半円弧状のラック４１を設け、このラック４１にピニオン歯車４０を噛み合わせた構成になっている。
【００５３】
このように構成すれば、アーム部２５が支持軸２４を中心に回動する際に、アーム部２５と共にピニオン歯車４０がラック４１に噛み合って転動するので、後蓋１３の後部をアーム部２５でガイドすることができると共にピニオン歯車４０とラック４１とによっても後蓋１３の後部をガイドすることができ、これにより、より一層、後蓋１３を安定させて上下方向に移動させることができる。
【００５４】
この場合、ピニオン歯車４０は、その軸４０ａにダンパ部材４２が設けられ、このダンパ部材４２によってピニオン歯車４０の回転に負荷を与えてピニオン歯車４０の回転を制動するように構成されていることが望ましい。このように構成すれば、アーム部２５の回転動作と共にピニオン歯車４０がラック４１に噛み合って転動する際、ダンパ部材４２によってピニオン歯車４０の回転が制動されるので、鍵盤蓋３を開閉する際、鍵盤蓋３が急激に動作するのを防ぐことができる。
【００５５】
また、上記実施形態およびその第１変形例では、鍵盤蓋３を閉じた状態から開く際に、中間支持部材１７の後側軸部２８が共通ガイド部１５に沿って移動しながら変位部材３４によって後蓋１３の下面に対して接離する方向に変位することにより、前蓋１２と後蓋１３とを一体的に移動させてガイドするように構成した場合について述べたが、これに限らず、例えば図１２に示す第２変形例のように構成しても良い。
【００５６】
この第２変形例は、鍵盤蓋３を開閉する際に、後蓋１３の前部をガイドするガイド支持部４５を備えた構成になっている。このガイド支持部４５は、鍵盤蓋３を閉じたときに後蓋１３を少し前下がりに傾けて支持する前側支持傾斜部４６と、鍵盤蓋３が蝶番１４で折れ曲がりながら開閉するときに後蓋１３を少し後下がりに傾けて支持する後側支持傾斜部４７とを備え、この前側支持傾斜４６と後側支持傾斜部４７とを山形状に連続させた構成になっている。
【００５７】
このように構成すれば、鍵盤蓋３を閉じた状態から開く際に、中間支持部材１７の後側軸部２８が共通ガイド部１５に沿って移動しながら変位部材３４によって後蓋１３の下面に対して接離する方向に変位すると共に、後蓋１３がガイド支持部４５によってガイドされるので、蝶番１４に加わる負荷を軽減することができると共に、鍵盤蓋３を円滑に且つ良好に移動させることができる。
【図面の簡単な説明】
【００５８】
【図１】この発明を鍵盤楽器に適用した一実施形態において鍵盤蓋を開いた状態を示した断面図である。
【図２】図１の鍵盤部の一側部における鍵盤楽器の要部を示した拡大平面図である。
【図３】図１の鍵盤蓋を閉じた状態を示した鍵盤楽器の断面図である。
【図４】図３のＡ−Ａ矢視における要部を示した断面図である。
【図５】図３の鍵盤蓋を示した側面図である。
【図６】図５の鍵盤蓋を示した要部の裏面図である。
【図７】図６の中間支持部材を示した拡大裏面図である。
【図８】図７のＢ−Ｂ矢視における中間支持部材の各断面を示し、（ａ）は変位部材のばね力によって回動足部がヒンジ部を中心に回動して取付板に対し直角に開いた状態を示した拡大断面図、（ｂ）は変位部材のばね力に抗して回動足部がヒンジ部を中心に回動して取付板に接近した状態を示した拡大断面図である。
【図９】図３の状態で前蓋の前部を引き上げた状態を示した鍵盤楽器の断面図である。
【図１０】図９の状態で鍵盤蓋を後方に移動させてほぼ半分程度開いた状態を示した鍵盤楽器の断面図である。
【図１１】後側支持ガイド部材にラックとピニオン歯車とを設けた第１変形例を示した鍵盤楽器の断面図である。
【図１２】中間支持部材にガイド支持部を設けた第２変形例を示した鍵盤楽器の断面図である。
【符号の説明】
【００５９】
１  楽器ケース
２  鍵盤部
３  鍵盤蓋
１２  前蓋
１３  後蓋
１４  蝶番
１５  共通ガイド部
１６  前側支持部材
１７  中間支持部材
１８  後側支持ガイド部材
２２  前側軸部
２４  支持軸
２５  アーム部
２６  連結軸
２７  ばね部材
２８  後側軸部
２９  連結部材
３０  取付板
３１  回動足部
３２  ヒンジ部
３４  変位部材
【図１】
0005292795.tif 000002
【図２】
0005292795.tif 000003
【図３】
0005292795.tif 000004
【図４】
0005292795.tif 000005
【図５】
0005292795.tif 000006
【図６】
0005292795.tif 000007
【図７】
0005292795.tif 000008
【図８】
0005292795.tif 000009
【図９】
0005292795.tif 000010
【図１０】
0005292795.tif 000011
【図１１】
0005292795.tif 000012
【図１２】
0005292795.tif 000013